(57)【要約】【課題】簡単な構成で異物の混入を防止し、かつ点検整備等の際の安全性が確保できる高電圧部品のカバー取付構造を提供する。【解決手段】高圧電機器を収容するケース２及びサービスプラグ挿入口６が開口するカバー５を備え、可動部１５を被覆位置とカバー係止位置との間で移動可能に支持するガイドレール１１をケース２内に備える。可動部１５は蓋部１６と、移動規制部１７と、カバー押さえ部１８を備える。サービスプラグ２２を回路遮断装置２１から抜き出すことで可動部１５をカバー係止位置から被覆位置への移動が可能になり、カバー５をケース２から取り外した際には電源回路が遮断状態に維持される。サービスプラブ２５を取り外した状態で、可動部１５を被覆位置に移動することで蓋部１６によって回路遮断装置２１のサービスプラグ装着面２２が閉蓋されてサービスプラグ挿着孔２３内への異物侵入が阻止される。【選択図】図４
2014151890.tif 000002
【特許請求の範囲】
【請求項１】
高電圧機器を収容するケース及び該ケースを閉蓋すると共にサービスプラグ挿入口が開口するカバーを備え、前記サービスプラグ挿入口にサービスプラグ挿着孔が開口するプラグ装着面を対向させてケース内に収容した回路遮断装置を備え、前記サービスプラグ挿入口を介して回路遮断装置からサービスプラグを抜き出すことにより電源回路が遮断し、サービスプラグの装着によって電源回路を接続して電流供給が可能な状態となる高電圧部品のカバー取付構造において、
可動部をサービスプラグ挿入方向と直交する方向の被覆位置とカバー係止位置との間で移動可能に支持するガイドレールをケース内に備え、
前記可動部は、前記プラグ装着面を被覆可能な蓋部と、該蓋部の端部からサービスプラグ挿入方向と平行に延在して回路遮断装置に装着状態のサービスプラグに対向可能でかつ当接可能な移動規制部と、該移動規制部より略水平方向に延在して前記カバーのサービスプラグ挿入口の縁部を上方から抑え可能でかつサービスプラグ挿入口内を挿通可能なカバー押さえ部とを備え、
前記被覆位置において可動部は、蓋部がプラグ装着面を覆うと共にカバー押さえ部がサービスプラグ挿入口に対応して位置し、カバー係止位置において蓋部がサービスプラグ装着面の上方から退避し、移動規制部が回路遮断装置に装着されたサービスプラグに対向及び当接し、カバー押さえ部がカバーのサービスプラグ挿入口縁部を上方から抑えることでカバーを固定することを特徴とする高電圧部品のカバー取付構造。
【請求項２】
前記カバー内に前記サービスプラグ挿入口と対向する開口部を有する基板を備え、
該基板の下方に、前記回路遮断装置がサービスプラグ装着面を前記開口部から露出させた状態で配置され、
前記基板に配置された前記ガイドレールに前記蓋部が移動可能に支持され、被覆位置において該蓋部が前記開口部を覆うと共に、カバー係止位置で前記開口部の上方から退避することを特徴とする請求項１に記載の高電圧部品のカバー取付構造。
【発明の詳細な説明】
【技術分野】
【０００１】
本発明は、高電圧部品のカバー取付構造に関し、特に高電圧回路を有する電気自動車やハイブリッド車等の点検整備等に際して、サービスプラグを抜き出すことで回路電流を一時的に遮断する回路遮断装置を備えた高電圧部品のカバー取付構造に関する。
【背景技術】
【０００２】
近年、電気自動車やハイブリッド車等が実用化されている。このような電気自動車やハイブリッド車等においては、高出力化された電動モータを駆動するために、バッテリに接続された電圧変換器等の高電圧機器において、例えば数百Ｖの高電圧が発生する。このような高電圧機器を備えた車両においては、作業者が高電圧機器を点検整備する際の感電事故を防止するために、特に高い作業安全性の確保が要求される。
【０００３】
安全対策の一例として特許文献１の安全プラグボックスがある。この安全ボックスは、ケース及び蓋からなるボックス本体と、ボックス本体内に収容されるバッテリ、電源分配ボックス及び電圧変換器を備える。一方、電源分配ボックスのサービスプラグ挿着孔にピン部を差し込むことで電源路を接続し、抜き出すことで電源路が遮断するサービスプラグを備える。
【０００４】
サービスプラグを蓋に穿設されるプラグ挿入口から挿入して電源分配ボックスのサービスプラグ挿着孔にピン部を差し込むとピン部に設けた端子とプラグ挿着孔に設けられた端子が接触して電源回路が接続し、かつサービスプラグを抜き出すことで電源路が遮断する。
【０００５】
このように構成された安全プラグボックスによると、保守整備にあたり、サービスプラグを抜き出すことで電源路を遮断し、蓋を取り外した際には電源路が遮断状態に維持されて点検整備する際の作業安全性が確保できる。
【先行技術文献】
【特許文献】
【０００６】
【特許文献１】特開２００２−１３３９７９号公報
【発明の概要】
【発明が解決しようとする課題】
【０００７】
上記特許文献１の安全プラグボックスによると、サービスプラグを抜き出すことで電源路を遮断し、蓋を取り外した際には電源路が遮断状態に維持されて点検整備する際の作業安全性が確保できる。
【０００８】
一方、サービスプラグを抜いた状態では、蓋に穿設されたプラグ挿入口が開放した状態に維持されることから、開放されたプラグ挿入口から異物がボックス本体内に侵入して電源分配ボックスのサービスプラグ挿着孔内の端子に付着することが懸念される。サービスプラグ挿着孔内の端子に異物が付着するとサービスプラグの端子との接触が悪化して発熱を誘発する等の不具合の発生が懸念される。
【０００９】
また、特許文献１の安全プラグボックスに限らず、高電圧機器及び回路遮断装置を収容するケース及びケースを閉蓋するカバーを備え、カバーに開口するプラグ挿入口を介してサービスプラグのピン部を回路遮断装置に形成されたサービスプラグ挿着孔に挿入して電源路を接続し、抜き出すことで遮断する高電圧部品においても同様の不具合が懸念される。
【００１０】
ここで、一般に出荷時等のサービスプラグを取り外した状態において、異物の侵入を防止するためにプラグ挿入口を閉蓋するキャップを装着し、あるいは目張りのシールを貼る等の閉塞対策を施している。このキャップや目張りシールによる閉塞対策は厄介で作業コストの増加を招き、製品コストの増加の要因となる。また、使用済みのキャップや目張りシールの処理コストが懸念される。
【００１１】
従って、かかる点に鑑みなされた本発明の目的は、簡単な構成で異物の混入を防止し、かつ点検整備等の際の安全性が確保できる高電圧部品のカバー取付構造を提供することにある。
【課題を解決するための手段】
【００１２】
前記目的を達成する請求項１に記載の高電圧部品のカバー取付構造は、高電圧機器を収容するケース及び該ケースを閉蓋すると共にサービスプラグ挿入口が開口するカバーを備え、前記サービスプラグ挿入口にサービスプラグ挿着孔が開口するプラグ装着面を対向させてケース内に収容した回路遮断装置を備え、前記サービスプラグ挿入口を介して回路遮断装置からサービスプラグを抜き出すことにより電源回路が遮断し、サービスプラグの装着によって電源回路を接続して電流供給が可能な状態となる高電圧部品のカバー取付構造において、可動部をサービスプラグ挿入方向と直交する方向の被覆位置とカバー係止位置との間で移動可能に支持するガイドレールをケース内に備え、前記可動部は、前記プラグ装着面を被覆可能な蓋部と、該蓋部の端部からサービスプラグ挿入方向と平行に延在して回路遮断装置に装着状態のサービスプラグに対向可能でかつ当接可能な移動規制部と、該移動規制部より略水平方向に延在して前記カバーのサービスプラグ挿入口の縁部を上方から抑え可能でかつサービスプラグ挿入口内を挿通可能なカバー押さえ部とを備え、前記被覆位置において可動部は、蓋部がプラグ装着面を覆うと共にカバー押さえ部がサービスプラグ挿入口に対応して位置し、カバー係止位置において蓋部がサービスプラグ装着面の上方から退避し、移動規制部が回路遮断装置に装着されたサービスプラグに対向及び当接し、カバー押さえ部がカバーのサービスプラグ挿入口縁部を上方から抑えることでカバーを固定することを特徴とする。
【００１３】
これによると、回路遮断装置のサービスプラグ挿着孔が開口するサービスプラグ装着面を被覆可能な蓋部、回路遮断装置に装着されたサービスプラグに当接可能な移動規制部及びカバー押さえ部を備えた可動部を蓋部がサービスプラグ装着面を覆うと共にカバー押さえ部によるカバーの固定が解除される被覆位置と蓋部がサービスプラグ装着面上から退避しかつカバー押さえ部はカバーを抑えるカバー係止位置との間で移動可能に支持するガイドレールを備える簡単な構成で、サービスプラグを回路遮断装置から引き抜くことで可動部をカバー係止位置から被覆位置へ移動させることが可能になり、カバーをケースから取り外した際には電源回路が遮断状態に維持されて、点検整備する際の作業安全性が確保できる。
【００１４】
一方、出荷時など、サービスプラグを取り外した状態で、可動部を被覆位置に移動することで蓋部によって回路遮断装置のサービスプラグ装着面が閉蓋されてサービスプラグ挿着孔内への異物侵入が阻止される。これにより、従来、異物の侵入を防止するためにサービスプラグ挿入口に閉蓋するキャップを装着し、あるいは目張りのシールを貼る等の閉塞対策に比べて大幅な作業コストの削減及び製品コストの低減が得られる。
【００１５】
請求項２に記載の発明は、請求項１に記載の高電圧部品のカバー取付構造において、前記カバー内に前記サービスプラグ挿入口と対向する開口部を有する基板を備え、該基板の下方に、前記回路遮断装置がサービスプラグ装着面を前記開口部から露出させた状態で配置され、前記基板に配置された前記ガイドレールに前記蓋部が移動可能に支持され、被覆位置において該蓋部が前記開口部を覆うと共に、カバー係止位置で前記開口部の上方から退避することを特徴とする。
【００１６】
これによると、可動部が被覆位置において蓋部によって基板の開口部が蓋部によって覆われ、回路遮断装置のサービスプラグ挿着孔内への異物侵入が阻止されると共に、開口部と回路遮断装置との隙間から異物侵入が防止できる。
【図面の簡単な説明】
【００１７】
【図１】実施の形態に係る高電圧部品の斜視図である。
【図２】図１のＡ部拡大図である。
【図３】図１のＢ−Ｂ線断面図である。
【図４】カバー押さえの概要説明図である。
【図５】作用説明図である。
【発明を実施するための形態】
【００１８】
以下、本発明の高電圧部品のカバー取付構造の一実施の形態を図を参照して説明する。
【００１９】
図１は高電圧部品１の斜視図であり、図２は図１のＡ部拡大図、図３は図１のＢ−Ｂ線断面図である。図４はカバー押さえの概要を示す斜視図、図５はカバー押さえの作用説明図である。
【００２０】
図１及び図２に示すように、高電圧部品１は、バッテリ、バッテリに接続され回路遮断装置２１及び電圧変換器等の高電圧機器を収容するボックス状のケース２と、ケース２を閉蓋するカバー５を有し、ケース２の開口縁部にカバー５の外周縁部が複数のボルト４によって取付けられる。カバー５の中央部に長形のサービスプラグ挿入口７が開口する。
【００２１】
図３に示すようにケース２内に、カバー５と対向して基板８が設けられる。この基板８には、カバー５のサービスプラグ挿入口７と対向して略矩形の開口部９が形成される。基板８の下方に回路遮断装置２１が、一対のサービスプラグ挿着孔２３が開口するサービスプラグ装着面２２を開口部９から露出させた状態で基板８にブラケット等を介して取り付けられる。また、基板８の下方に他の高電圧機器及びバッテリ等が収容される。
【００２２】
回路遮断装置２１に装着するサービスプラグ２５は、矩形ブロック状のプラグベース部２６及びプラグベース部２６から突出する一対のピン部２７を有する。このサービスプラグ２５をカバー５に開口するサービスプラグ挿入口７から挿入して、サービスプラグ２５の各ピン部２７を回路遮断装置２１のサービスプラグ挿着孔２３に挿入することで、ピン部２７に設けられた端子とサービスプラグ挿着孔２３内に配設された端子が接触して電源回路が接続してバッテリから高電圧機器に電流が供給可能な状態になり、回路遮断装置３１からサービスプラグ２５を抜き出すことで電源回路が遮断される。
【００２３】
カバー押さえ１０が基板８に設けられる。図３乃至図５を参照してカバー押さえ１０を説明する。なお、図４においてカバー５を仮想線で示す。
【００２４】
図３及び図４に示すように、カバー押さえ１０は、基板８の開口部９を隔てて基板８上に延在する一対のガイドレール１１及びガイドレール１１に移動可能に支持されて開口部９を覆う被覆位置と、開口部９の上方から退避してカバー５に係止するカバー係止位置との間で移動可能な可動部１５とによって構成される。
【００２５】
各ガイドレール１１は、開口部９を隔てて対向してサービスプラグ２５の挿入及び抜き出し方向と略直交するように基板８上に延在し、各ガイドレール１１の延在方向に沿って互いに対向する断面コ字状のガイド溝１２を有する。
【００２６】
可動部１５は、基板８に開口する開口部９を上方から閉蓋可能な矩形板状で両側に各ガイドレール１１のガイド溝１２に摺動可能に嵌合するスライドが形成された蓋部１６と、蓋部１６の被覆位置側端部からサービスプラグ２５の挿入方向と平行に上方に延在してサービスプラグ挿入口７内を貫通移動可能な矩形板状の移動規制部１７と、移動規制部１７の上端から蓋部１６と対向してサービスプラグ２５の挿入方向と略直交する水平方向に延在すると共にサービスプラグ挿入口７を挿通可能な矩形板状のカバー押さえ部１８とが一体形成される。
【００２７】
図３及び図４に示すように、カバー係止位置において可動部１５は、蓋部１６が基板８の開口部９上から退避し、移動規制部１７が回路遮断装置２１に装着されたサービスプラグ２５のプラグベース部２６に接近した状態で対向すると共にサービスプラグ挿入口７から突出するカバー押さえ部１８がカバー５を下方に抑える。また、サービスプラグ２５が装着された状態では、そのカバー係止位置からの移動は移動規制部１７がプラグベース部２６に当接することによって阻止される。
【００２８】
一方、図５（ａ）に示すように、可動部１５は、被覆位置において蓋部１６が開口部９を閉蓋し、カバー押さえ部１８が図５（ｂ）に示すようにサービスプラグ挿入口７内に対応してカバー５の取外しを可能にする。
【００２９】
このように構成された高圧部品１のカバー５の取外し及び取付操作の概要を説明する。
【００３０】
図１乃至図４は、高圧部品１にカバー５が装着されると共に回路遮断装置２１にサービスプラグ２５が装着可能な通常使用状態を示す。この通常使用状態では、高電圧機器を収容するケース２にカバー５がボルト４によって取り付けられる。
【００３１】
更にカバー押さえ１０の可動部１５がカバー係止位置に保持され、可動部１６の蓋部１６が基板８の開口部９上から退避し、かつ移動規制部１７が回路遮断装置２１に装着されたサービスプラグ２５のプラグベース部２６に接近した状態で対向すると共にサービスプラグ挿入口７から突出したカバー押さえ部１８がカバー５のサービスプラグ挿入口７の周縁近傍を下方に抑える。
【００３２】
また、可動部１５は、その移動規制部１７がサービスプラグ２５のプラグベース部２６の当接によって阻止されてカバー係止位置に保持される。この回路遮断装置２１にサービスプラグ２５が装着された状態においては、カバー押さえ１０の可動部１６がカバー係止位置に保持されてカバー押さえ部１８がカバー５のサービスプラグ挿入口７の周縁近傍を下方に抑え、カバー５の取外しが不可能な状態に維持される。
【００３３】
保守整備にあたり、カバー５のサービスプラグ挿入口７を介してサービスプラグ２５を回路遮断装置２１から抜き出すと、バッテリから高電圧機器への電源回路が遮断される。更に、移動規制部１７に対向して可動部１５の移動を規制するサービスプラグ２５の除去により可動部１５が移動可能になる。
【００３４】
しかる後、カバー押さえ１０の可動部１５をガイドレール１１に沿ってカバー係止位置から図５（ａ）に示す被覆位置に移動する。この可動部１５の被覆位置において、基板８の開口部９が上方から蓋部１６によって閉蓋されて回路遮断装置２１のサービスプラグ挿着孔２３が開口するプラグ装着面２２が閉蓋されてサービスプラグ挿着孔２３への異物侵入が阻止される。また、開口部９と回路遮断装置２１の隙間αから基板８の下方への侵入が阻止される。一方、カバー押さえ部１８は図５（ａ）及び（ｂ）に示すようにカバー５のサービスプラグ挿入口７内に位置してカバー挿入口７の縁部に接触することなくカバー５との係止が阻止される。しかる後、ボルト４を取り外してカバー５をケース２から取り外す。
【００３５】
保守整備が終了した後には、カバー５をケース２にボルト４により取り付ける。しかる後、カバー押さえ１０の可動部１５をガイドレール１１に沿って図５（ａ）及び（ｂ）に示す被覆位置から図３及び図４に示すカバー係止位置に移動する。
【００３６】
この可動部１５のカバー係止位置への移動により、蓋部１６が基板８の開口部９上から退避して回路遮断装置２１のサービスプラグ装着面２２が開口部９から露出し、サービスプラグ挿入口７から突出したカバー押さえ部１８がカバー５のプラグ挿入口７の周縁近傍を下方に抑える。
【００３７】
次に、サービスプラグ２５をカバー５のサービスプラグ挿入口７から挿入してピン部２７を回路遮断装置２１のサービスプラグ挿着孔２３に差し込むことによって電源回路を接続してバッテリから高電圧機器への電力供給が可能な状態になる。このサービスプラグ２５の装着によって、可動部１５の移動がプラグベース部２６の当接によって阻止され、カバー係止位置に保持される。
【００３８】
このようにサービスプラグ２５を回路遮断装置２１から引き抜くことで、カバー押さえ１０の可動部１５をカバー押さえ位置からカバー５の係止が解除される被覆位置への移動が許容されてカバー５の取り外しが可能になり、カバー５をケース２から取り外した際にはバッテリからの高電圧機器への電源回路が遮断状態に維持され、点検整備する際の作業安全性が確保できる。
【００３９】
一方、出荷時など、サービスプラグ２５を取り外したバッテリから高電圧機器への電源回路が遮断された状態で、カバー押さえ１０の可動部１５をガイドレール１１に沿ってカバー係止位置から被覆位置に移動することで、可動部１５の蓋部８によって基板８の開口部９が上方から閉蓋され、かつ回路遮断装置２１のサービスプラグ挿着孔２３が開口するサービスプラグ装着面２２が閉蓋されてサービスプラグ挿着孔２３内への異物侵入が阻止される。また、開口部９と回路遮断装置２１の隙間αから基板８の下方への異物の侵入が阻止される。
【００４０】
従って、本実施の形態によると、ガイドレール１１及びガイドレール１１によって移動可能な可動部１５を備える簡単な構成で、サービスプラグ２５を回路遮断装置２１から引き抜くことで基板８に設けられたスライドレール１１に移動可能に設けられた可動部１５のカバー係止位置からの移動が可能になり、カバー５をケース２から取り外した際には電源回路が遮断状態に維持されて、点検整備する際の作業安全性が確保できる。
【００４１】
一方、出荷時など、サービスプラグ２５を取り外した状態で、カバー押さえ１０の可動部１５を被覆位置に移動することで、回路遮断装置２１のプラグ挿着孔２３が開口するプラグ装着面２２が閉蓋されてサービスプラグ挿着孔２３内への異物侵入が阻止される。従って、従来、異物の侵入を防止するためにサービスプラグ挿入口に閉蓋するキャップを装着し、あるいは目張りのシールを貼る等の閉塞対策に比べて大幅な作業コストの削減及び製品コストの低減が得られる。
【符号の説明】
【００４２】
１      高電圧部品
２      ケース
５      カバー
７      サービスプラグ挿入口
８      基板
９      開口部
１０    カバー押さえ
１１    ガイドレール
１２    ガイド溝
１５    可動部
１６    蓋部
１７    移動規制部
１８    カバー押さえ部
２１    回路遮断装置
２２    サービスプラグ装着面
２３    サービスプラグ挿着孔
２５    サービスプラグ
２６    プラグベース部
２７    ピン部
【図１】
2014151890.tif 000003
【図２】
2014151890.tif 000004
【図３】
2014151890.tif 000005
【図４】
2014151890.tif 000006
【図５】
2014151890.tif 000007